(57)【要約】【課題】パノラマ断層画像で、位置補正の必要な部位の位置の補正を行う値を入力し、入力された位置補正値から画像再構成の計算を行いパノラマ再構成画像を表示させる位置補正処理方法を提供する。【解決手段】パノラマ断層撮影により取得したデジタルパノラマ画像データを用いて、パノラマ画像の再構成計算を行うステップと、パノラマ再構成画像を表示する画像表示ステップと、パノラマ画像の位置の補正を行う値を表示する位置補正値入力表示ステップと、パノラマ画像の位置の補正を行う値を入力する位置補正値入力ステップと、入力された位置補正値から画像再構成の計算を行う再構成計算ステップと、パノラマ再構成画像を表示するパノラマ再構成画像表示ステップとを備え、パノラマ画像上で位置補正が必要な部位の位置補正値を入力して再構成計算を行い、パノラマ再構成画像を表示させる。【選択図】  なし【特許請求の範囲】
【請求項１】
パノラマ断層撮影により取得したデジタルパノラマ画像データを用いて、パノラマ画像の再構成計算を行うステップと、それにより得られたパノラマ再構成画像をコンピュータのディスプレイ画面に表示する画像表示ステップと、前記ディスプレイ画面に表示されたパノラマ再構成画像表示画面中に、必要に応じて、パノラマ断層面位置の補正を行う値を表示する位置補正ダイアログ表示ステップと、前記ディスプレイ画面に表示されたパノラマ再構成画像の断層面位置を、必要に応じて変えるために、断層面位置データの補正値を入力する位置補正値入力ステップと、入力された位置補正値に基づき画像再構成の計算を行う再構成計算ステップと、再構成計算により得られたパノラマ再構成画像を表示するパノラマ再構成画像表示ステップとを備え、前記ディスプレイ画面上に入力された位置補正値に基づく任意断層面位置の再構成画像を表示させることを特徴とするパノラマ断層面位置の補正及び表示処理方法。
【請求項２】
パノラマ断層撮影により取得したデジタルパノラマ画像データを用いて、パノラマ画像の再構成計算を行い、それにより得られたパノラマ再構成画像を表示する表示装置と、この表示装置の画面に、前記再構成計算により得られたパノラマ再構成画像を表示させ、前記表示装置の画面に表示されたパノラマ再構成画像表示画面中に、必要に応じて、パノラマ断層面位置の補正を行う値を入力する入力装置と、入力された補正値に基づき、画像再構成の計算を行う中央処理装置とを有し、目的に応じて、パノラマ画像上で位置補正が必要な部位の位置補正値を入力して、再構成計算を行い補正値に基づいた断層面のパノラマ再構成画像を表示させることを特徴とするパノラマ断層面位置補正処理機能を備えたパノラマＸ線撮影装置。
【請求項３】
コンピュータの前記ディスプレイ画面に、パノラマ断層撮影により取得したデジタルパノラマ画像データを用いて、パノラマ画像の再構成計算を行い、それにより得られたパノラマ再構成画像を表示させ、前記ディスプレイ画面に表示されたパノラマ再構成画像上の断層面位置補正が必要な部位に対して、前記パノラマ再構成画像表示画面から断層面位置補正を行う値を入力して再構成計算を行い、第三のパノラマ再構成画像を表示させる位置補正処理プログラムを備えたコンピュータ処理用の記録媒体。
【発明の詳細な説明】
【０００１】
【発明の属する技術分野】
本発明は、パノラマ断層画像の断層面位置の補正及び表示処理方法及び、その位置の補正及び表示処理方法を実施するために使用される位置補正処理機能を備えたパノラマＸ線撮影装置、並びに前記位置補正処理方法をコンピュータに実行させるための位置補正処理プログラムを備えたコンピュータ処理用の記録媒体に関する。
【０００２】
【従来の技術】
旋回アームの１端にＸ線源と、他端に被写体を透過したＸ線を検知するＸ線検出器を被写体の頭部を挟むように対向配置させ、旋回アームを回転することにより撮影を行う歯科用Ｘ線パノラマ断層撮影装置において、鮮明な歪みのないパノラマ断層画像を得るためには、まずパノラマ撮影を行う場合の旋回アームの回転中心は、正方線投影パノラマ撮影を行う場合にＸ線束を歯列弓に対し概略直交させる必要がある。これは、Ｘ線ビームをできる限り歯列弓に直交して入射するためである。また拡大は歯列弓全体にわたって維持しなければならない。特に前歯部は断層面に対して傾斜しているので隣接する歯牙が、重なりのある画像となったり臼歯部に対して断層幅が狭いため正確な寸法の画像が得られない。さらに、装置は回転／移動機構の異なる要素間での過剰な、あそびを防がなければならないことは勿論、またＸ線を被写体の所定の部位に正確に照射するために被写体を所定の撮影位置に設定する手段が用いられる。この設定手段として、Ｘ線の撮影位置を示すガイドビーム等が用いられている。これも大まかな位置決めをするものであり正確な位置決めをすることはできない。このように前記したいろいろな条件から考えて鮮明な歪みのない画像を得ることは、非常に難しい状況にある。よって、取得したパノラマ断層画像をディスプレイ画面に表示させた時、表示されたパノラマ断層画像の一部の部位に歪みがあり位置の補正が必要な場合、多くの場合、撮影を最初からやり直すことで対応している。これは被検者にとっても、術者にとっても非常に手間のかかることになる。さらに、これは被検者の被曝線量が増えることにもつながる。
【０００３】
【発明が解決しようとする課題】
本発明は、以上の状況を鑑みなされたもので、その解決しようとする課題は、以下の通りである。ここでのパノラマＸ線撮影装置は、被検者の頭頚部領域、一般には歯顎領域の局部、またはある範囲、あるいは、右側から左側までの連続した全顎の範囲等のパノラマＸ線ＣＴ撮影が可能な装置であり、局部以外の連続した範囲のＸ線ＣＴ撮影を行う際に、再構成画像範囲の特に奥行き方向の寸法を変化することができるものである。所謂、断層幅を自由に設定できるため、広範囲の画像データが取得でき、そのデータを保存して画像再構成計算を行うことにより任意断層面位置の画像再構成が可能である。以上から、パノラマ断層撮影において、取得したパノラマ画像データを用いて、再構成計算を行い、それにより得られたパノラマ再構成画像から、断層面位置を必要に応じて変えるために、断層面位置データの補正値を入力する位置補正入力手段により、入力された位置補正値から画像再構成の計算を行い補正値に基づいた断層面のパノラマ再構成画像を表示させる位置の補正及び表示処理方法を提供すること、および好適に実施できるパノラマ断層画像の位置補正処理機能を備えたパノラマＸ線撮影装置を提供すること、並びに、位置補正処理方法を実行させるための位置補正処理プログラムを備えたコンピュータ処理用の記録媒体を提供することを目的とする。
【０００４】
【課題が解決しようとする手段】
請求項１に係る発明は、パノラマ断層撮影により取得したデジタルパノラマ画像データを用いて、パノラマ画像の再構成計算を行うステップと、それにより得られたパノラマ再構成画像をコンピュータのディスプレイ画面に表示する画像表示ステップと、前記ディスプレイ画面に表示されたパノラマ再構成画像表示画面中に、必要に応じて、パノラマ断層面位置の補正を行う値を表示する位置補正ダイアログ表示ステップと、前記ディスプレイ画面に表示されたパノラマ再構成画像の断層面位置を、必要に応じて変えるために、断層面位置データの補正値を入力する位置補正値入力ステップと、入力された位置補正値に基づき画像再構成の計算を行う再構成計算ステップと、再構成計算により得られたパノラマ再構成画像を表示するパノラマ再構成画像表示ステップとを備え、前記ディスプレイ画面上に入力された位置補正値に基づく任意断層面位置の再構成画像を表示させることを特徴とする。
【０００５】
請求項２に係る発明は、パノラマ断層撮影により取得したデジタルパノラマ画像データを用いて、パノラマ画像の再構成計算を行い、それにより得られたパノラマ再構成画像を表示する表示装置と、この表示装置の画面に、前記再構成計算により得られたパノラマ再構成画像を表示させ、前記表示装置の画面に表示されたパノラマ再構成画像表示画面中に、必要に応じて、パノラマ断層面位置の補正を行う値を入力する入力装置と、入力された補正値に基づき、画像再構成の計算を行う中央処理装置とを有し、目的に応じて、パノラマ画像上で位置補正が必要な部位の位置補正値を入力して、再構成計算を行い補正値に基づいた断層面のパノラマ再構成画像を表示させることを特徴とする。
【０００６】
請求項３に係る発明は、位置補正処理プログラムを備えたコンピュータ処理用の記録媒体において、コンピュータのディスプレイ画面に、パノラマ断層撮影により取得したデジタルパノラマ画像データを用いて、パノラマ画像の再構成計算を行い、それにより得られたパノラマ再構成画像を表示させ、ディスプレイ画面に表示されたパノラマ再構成画像上の断層面位置補正が必要な部位に対して、パノラマ再構成画像表示画面から断層面位置補正を行う値を入力して再構成計算を行い、第三のパノラマ再構成画像を表示させるようにコンピュータに実行させることを特徴とする。
【０００７】
【発明の実施の形態】
以下、この発明を図面を参照しながら実施の形態を説明する。
【０００８】
図１は、この発明に係るパノラマ断層画像の位置補正処理方法を実施するために使用される位置補正処理機能を備えた装置のハードウェア構成の１実施例を示す図である。この位置補正処理機能を備えた装置は、システム全体を統括的に制御し必要な演算処理を行う中央処理装置（ＣＰＵ）１、このＣＰＵ１に接続された記憶装置２、ＣＰＵ１への入出力を管理する入出力制御部３、並びに、入出力制御部３に、それぞれ接続された入力装置４、ＬＣＤやＣＲＴディスプレイ等の表示装置５およびプリンタ等の出力装置６から構成されているコンピュータ（パソコン）システムである。
【０００９】
ＣＰＵ１は、ＯＳ（基本ソフトウェア）等の制御プログラム、後述する位置補正処理手順を規定し、再構成計算を行い位置補正処理したパノラマ断層画像の表示を行わせる位置補正処理プログラム、および、位置の補正値等のデータを格納するための内部メモリを有している。記憶装置２は、ハードディスクやフレキシブルディスク、コンパクトディスク、光ディスク等により構成されている。入力装置４は、キーボードやマウス等のポインティングデバイスから構成されている。
【００１０】
ここで、この位置の補正及び表示処理方法は、パノラマ断層撮影により取得したデジタルパノラマ画像データを用いて、再構成計算により得られたパノラマ再構成画像を表示させ、必要に応じて、断層面位置データの補正値を入力する位置補正値入力ステップと、入力した位置補正値を表示する位置補正値表示ステップと、を備え、パノラマ画像上で位置補正が必要な部位の位置補正値を入力して、再構成計算を行い、補正値に基づいた断層面のパノラマ再構成画像を表示することができる。
【００１１】
次に、図１に示したコンピュータシステムに位置補正処理プログラムを実行させて位置補正処理を行う手順を、図２に示したフローチャートに基づいて説明する。
【００１２】
システムを起動させ、表示装置５に、図３に示すパノラマ画像位置補正画面が表示されると、表示された画面内のパノラマ画像上で位置の補正が必要な部位があれば、その部位に対応する位置補正値入力スライドバーＳＢにて位置補正値を入力する。（ステップＳ１）入力した値は、画面に表示される。次ぎに画面内にあるメニューの計算をマウスボタンにてクリックすると、フィルム送りデータの計算（ステップＳ２）、元画像の読み込み（ステップＳ３）、そして再構成計算を行い（ステップＳ４）、画像再構成されたパノラマ再構成画像が表示される。（ステップＳ５）このように位置補正値を入力することによりパノラマ再構成画像が表示される。また、この画像を保存する場合は、画面内のメニューの保存をマウスボタンにてクリックすると記憶装置２に記憶される。
【００１３】
以上のような位置補正処理プログラムは、ＣＤ−ＲＯＭ等の記録媒体に記録されコンピュータシステムにインストールされて、コンピュータシステムにより実行される。
【００１４】
【発明の効果】
請求項１に係る発明によると、パノラマ断層画像の位置補正処理方法によりパノラマ画像上で位置の補正が必要な部位の位置補正値を入力して、再構成計算を行い、補正値に基づいた断層面のパノラマ再構成画像を表示することができる。
【００１５】
請求項２に係る発明のパノラマ断層画像の位置補正処理機能を備えたパノラマＸ線撮影装置を使用すると、請求項１に係る発明を好適に実施することができ、パノラマ断層画像の位置補正処理方法によりパノラマ画像上で位置の補正が必要な部位の位置補正値を入力して、再構成計算を行い、補正値に基づいた断層面のパノラマ再構成画像を表示することができる。
【００１６】
請求項３に係る発明の位置補正処理プログラムを備えたコンピュータ処理用の記録媒体は、請求項１に係る発明の位置補正処理方法をコンピュータに実行させて、パノラマ断層画像の位置補正処理方法によりパノラマ画像上で位置の補正が必要な部位の位置補正値を入力して、再構成計算を行い、補正値に基づいた断層面のパノラマ再構成画像を表示することができる。
【００１７】
【図面の簡単な説明】
【図１】本発明に係る位置補正処理方法を実施するために使用される位置補正処理機能を備えた装置のハードウェア構成の１例である。
【図２】本発明に係る位置補正処理機能を備えた装置により、位置補正処理プログラムを実行させて位置補正処理を行う手順を説明するためのフローチャートの一部である。
【図３】本発明に係るディスプレイ画面に表示されたパノラマ画像位置補正画面の１例である。
【符号の説明】
１  中央処理装置（ＣＰＵ）
２  記憶装置
３  入出力制御部
４  入力装置
５  表示装置
６  出力装置
ＳＢ    位置補正値入力スライドバー
【図１】
2004313576.tif 000002
【図２】
2004313576.tif 000003
【図３】
2004313576.tif 000004